(57)【要約】【課題】高い周波数利用効率を実現し、良いシステム安定性を取得する。【解決手段】本発明は、送信側でシミュレーション又は実際の測定を通じて、複数の変調方式と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式と時空間符号の符号化方式の組合わせの対応表を作成すること、測定又はフィードバックチャネルを通じて、現在の受信側のSNRを取得し、前記対応表に基づいて、取得されたSNRから対応する変調方式と時空間符号の符号化方式の組合わせ、又は対応する変調方式とチャネル符号化符号率と時空間符号の符号化方式の組み合わせを選択すること、及び選択結果に基づいて、信号変調と時空間符号化、又は信号変調とチャネル符号化と時空間符号化とを行うことを含む。【選択図】図１
2007235966.tif 000002
【特許請求の範囲】
【請求項１】
適応時空間符号化変調方法であって、
送信側でシミュレーション又は実際の測定を通じて、複数の変調方式と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式と時空間符号の符号化方式の組合わせの対応表を作成するか、又は、
複数の変調方式と複数のチャネル符号化符号率と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式とチャネル符号化符号率と時空間符号の符号化方式の組合わせの対応表を作成するステップAと、
測定又はフィードバックチャネルを通じて、現在の受信側のSNRを取得し、前記対応表に基づいて、取得されたSNRから対応する変調方式と時空間符号の符号化方式の組合わせ、又は対応する変調方式とチャネル符号化符号率と時空間符号の符号化方式の組み合わせを選択するステップBと、
ステップBでの選択結果に基づいて、信号変調と時空間符号化、又は信号変調とチャネル符号化と時空間符号化とを行うステップCと
を含むことを特徴とする適応時空間符号化変調方法。
【請求項２】
信号伝送品質には、ビット誤り率、フレーム誤り率、又はシンボル誤り率を含み、
該時空間符号は、シンボル多重度が連続的に変更可能な時空間符号であって、線型散乱時空間符号、TAST符号、又はトレリス符号を含むことを特徴とする請求項１に記載の適応時空間符号化変調方法。
【請求項３】
前記時空間符号の符号化方式は固定されておらず、シンボル多重度をチャネルの変化に追従して変化させることを特徴とする請求項２に記載の適応時空間符号化変調方法。
【請求項４】
前記対応表において、第２SNRが第１SNRより大きい場合、第２SNRに対応するシンボル多重度及び/又は変調多値数は、第１SNRに対応するシンボル多重度及び/又は変調多値数より高いことを特徴とする請求項３に記載の適応時空間符号化変調方法。
【請求項５】
受信側で復調、復号化を行うため、送信側は選択された変調方式と時空間符号化方式，または変調方式，時空間符号化方式とチャネル符号化方式の結果を受信側に送信し、受信側において予め定められた信号伝送品質を達成できないと判断した場合には、送信側に制御信号をフィードバックし、前記制御信号を受信した送信側は改めてステップBを行うか、又は変調多値数及び／又は時空間符号におけるシンボル多重度を低下させる方向で前記対応表を調整するステップDをさらに含むことを特徴とする請求項１から４のいずれかに記載の適応時空間符号化変調方法。
【請求項６】
適応時空間符号化変調方法を用いる送信機であって、
シミュレーション又は実際の測定を通じて、複数の変調方式と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式と時空間符号の符号化方式の組合わせの対応表を作成するか、又は
複数の変調方式と複数のチャネル符号化符号率と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式とチャネル符号化符号率と時空間符号の符号化方式の組合わせの対応表を作成する対応表作成モジュールと、
測定又はフィードバックチャネルを通じて、現在の受信側のSNRを取得し、前記対応表に基づいて、取得されたSNRから対応する変調方式と時空間符号の符号化方式の組合わせ、又は対応する変調方式とチャネル符号化符号率と時空間符号の符号化方式の組み合わせを選択する取得及び選択モジュールと、
取得及び選択モジュールからの選択結果に基づいて、信号変調と時空間符号化、又は信号変調とチャネル符号化と時空間符号化を行う符号化変調モジュールと
を含むことを特徴とする送信機。
【請求項７】
信号伝送品質には、ビット誤り率、フレーム誤り率、又はシンボル誤り率を含み、
該時空間符号は、シンボル多重度が連続的に変更可能な時空間符号であり、線型散乱時空間符号、TAST符号、又はトレリス符号を含むことを特徴とする請求項６に記載の送信機。
【請求項８】
前記時空間符号の符号化方式は固定されておらず、シンボル多重度をチャネルの変化に追従して変化させることを特徴とする請求項７に記載の送信機。
【請求項９】
前記対応表において、第２SNRが第１SNRより大きい場合、第２SNRに対応するシンボル多重度及び/又は変調多値数は、第１SNRに対応するシンボル多重度及び/又は変調多値数より高いことを特徴とする請求項８に記載する送信機。
【請求項１０】
受信側で復調、復号化を行うため、送信側は選択された変調方式と時空間符号化方式，または変調方式，時空間符号化方式とチャネル符号化方式の結果とを受信側に送信し、受信側において予め定められた信号伝送品質を達成できないと判断した場合には、送信側に制御信号をフィードバックし、対応表作成モジュールは、変調多値数及び／または時空間符号におけるシンボル多重度を低下させる方向で前記対応表を調整することを特徴とする請求項６から９のいずれかに記載の送信機。
【発明の詳細な説明】
【技術分野】
【０００１】
本発明は、無線通信技術に関し、特に適応時空間符号化変調方法及び該方法を用いる送信機に関する。
【背景技術】
【０００２】
チャネルの条件に基づいて適応的に変調方式を変える適応変調方式は、例えば、SNRが低いときは、BPSKを採用し、SNRが次第に増加するときは、QPSK、１６QAM、６４QAM等を採用することができる。多値変調を採用すると、システムデータ伝送効率を増加させることができ、さらにシステムの周波数利用率を向上させることができる。
【０００３】
多値変調を採用するときのシステムの安定性を保証するため、さらに適応符号化を採用してもよい。例えば、符号率が１/２であるTurbo符号或いは符号率が３/４であるTurbo符号を追加する。適応符号化を追加した後、符号化の符号率が１より小さいので、データ伝送効率を低下させたが、データ伝送の安定性を大きく向上させた。経時変化、マルチパス、フェージングが存在する無線通信チャネルにおいて、安定なデータ伝送は非常に重要である。
【０００４】
上述のように、適応符号化変調がシステム伝送データ効率を向上させることができ、且つシステム伝送の安定性を向上させることができるため、適応符号化変調は現代の通信システムの重要な構成部分となった。
【０００５】
なお、現代通信技術の発展方向として、MIMO技術はシステム容量を大きく向上させることができ、或いはデータ伝送のビット誤り率（BER）を低下させることができ、そして無線通信システムの性能を増加させることができる。MIMOを用いる通信システムにおいて、適応符号化変調も、そのデータ伝送速度とシステム安定性を向上させることができる。そのうち、MIMOシステムに採用される時空間符号化には、主に、ダイバーシティゲインを取得する時空間符号、及び多重化ゲインを取得する時空間符号の２つの種類がある。
【０００６】
時空間符号の原理は、空間と時間上の符号化を利用して、一定の空間ダイバーシティと時間ダイバーシティとを実現し、それによってチャネルビット誤り率を低下させる。従来のMIMOシステムにおいて、適応符号化変調で採用した時空間符号の構成は固定され、一般に、時空間符号は時空間ブロック符号(Space-time block code，STBC)を選択してダイバーシティゲインを取得し、或いは垂直的階層時空間構成(Vertical-Bell Labs Space Time，VBLAST)を採用して多重化ゲインを取得する。その後、適応符号化変調を採用してさらにそのデータ伝送速度と安定性を向上させる。
【０００７】
しかし、MIMOシステムにおいて、一定の信号伝送品質を保証する前提で、より高い周波数利用効率を取得でき、SNRがより低いときに、ダイバーシティゲインが主な働きをし、このとき、より大きいダイバーシティゲインを備える時空間符号を採用すると、より良いシステム性能が取得できる。SNRが高いときに、多重化ゲインの優位性が次第に明らかになり、このとき、より大きい多重化ゲインを備える時空間符号を用いると、より高い周波数利用効率が取得できる。したがって、構成が固定された時空間符号を簡単に適応符号化変調と結合しただけでは、最良の効果を取得することができない。
【０００８】
近来、業界が多重化-ダイバーシティゲインを両方備える時空間符号化を提案した。その多重化-ダイバーシティゲインは調整することができ、かつ対応する時空間符号は、より良い多重化とダイバーシティとの間を折衷することができる。このような時空間符号化を用いる普通の適応符号化変調は、外部符号(例えば、Turbo符号、LDPC符号)符号率及び変調方式（BPSK、QPSK、１６QAM）のみを調整するが、時空間符号の構成が変わらず、このとき、最良のシステム性能が取得できない。
【０００９】
このため、適応符号化変調方法を設計する必要があり、それは同時に変調方式、時空間符号の符号化方式（時空間符号の構成を変化させる）、及び／又はチャネル符号化の符号率を調整することができるため、高い周波数利用効率を取得することができ、より良いシステム安定性を取得することができる。
【発明の開示】
【発明が解決しようとする課題】
【００１０】
本発明の第１の目的は、時空間符号の符号化方式の調整を通じて、高い周波数利用効率を実現し、より良いシステム安定性を取得することができる適応符号化変調方法を提供することである。
【００１１】
本発明の第２の目的は、時空間符号の符号化方式の調整を通じて、高い周波数利用効率を実現し、より良いシステム安定性を取得することができる適応符号化変調方法を用いる送信機を提供することである。
【課題を解決するための手段】
【００１２】
本発明の第１の目的によれば、適応時空間符号化変調方法であって、送信側でシミュレーション又は実際の測定を通じて、複数の変調方式と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式と時空間符号の符号化方式の組合わせの対応表を作成するか、又は、複数の変調方式と複数のチャネル符号化符号率と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式とチャネル符号化符号率と時空間符号の符号化方式の組合わせの対応表を作成するステップAと、測定又はフィードバックチャネルを通じて、現在の受信側のSNRを取得し、前記対応表に基づいて、取得されたSNRから対応する変調方式と時空間符号の符号化方式の組合わせ、又は対応する変調方式とチャネル符号化符号率と時空間符号の符号化方式の組み合わせを選択するステップBと、ステップBでの選択結果に基づいて、信号変調と時空間符号化、又は信号変調とチャネル符号化と時空間符号化とを行うステップCとを含む。
【００１３】
本発明の第２の目的によれば、第１の目的による適応時空間符号化変調方法を用いる送信機であって、シミュレーション又は実際の測定を通じて、複数の変調方式と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式と時空間符号の符号化方式の組合わせの対応表を作成するか、又は複数の変調方式と複数のチャネル符号化符号率と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式とチャネル符号化符号率と時空間符号の符号化方式の組合わせの対応表を作成する対応表作成モジュールと、測定又はフィードバックチャネルを通じて、現在の受信側のSNRを取得し、前記対応表に基づいて、取得されたSNRから対応する変調方式と時空間符号の符号化方式の組合わせ、又は対応する変調方式とチャネル符号化符号率と時空間符号の符号化方式の組み合わせを選択する取得及び選択モジュールと、取得及び選択モジュールからの選択結果に基づいて、信号変調と時空間符号化、又は信号変調とチャネル符号化と時空間符号化を行う符号化変調モジュールとを含む。
【発明の効果】
【００１４】
本発明の有益な效果は、本発明の適応符号化変調方法、及びこの方法を用いる送信機によれば、時空間符号の構成の最適化を通じて、システムの周波数利用率を向上させ、それにより、高い周波数利用効率と良いシステム安定性とが取得できる。かつ受信側からのフィードバックに基づいて、動的に対応表を調整して、さらに柔軟に適応符号化変調を行うことができる。
【発明を実施するための最良の形態】
【００１５】
本発明は、MIMOシステムに用いられ、時空間符号化と結合する適応符号化変調方法、及びこの方法を用いる送信機を提供する。
【００１６】
この適応符号化変調方法は、主に変調方式と時空間符号符号化、或いは変調方式とチャネル符号化と時空間符号符号化を結合し、上記２つの結合方式を調整することを通じて、より高い周波数利用効率、及びより良いシステム安定性が取得できる。
【００１７】
そのうち、従来の時空間符号の符号化と異なるのは、本発明の適応符号化変調方法は、シンボル多重度が連続的に変更可能なよく知られている時空間符号を用いる。例えば、線型散乱時空間符号 (LD符号)、TAST符号、トレリス符号 (Lattice符号)である。しかしながら、時空間符号の構成は、チャネルの変化によって変化する。このように、同じ時空間符号（構成のみがチャネルの変化によって変化する）を用いる場合には、復号化方法が同じであるので、さらに受信機の複雑さを低下させることができ、２種類の復号化方法（時空間ブロック符号とVBLAST）を設計する必要もない。
【００１８】
次に、本発明の適応符号化変調方法、及びこの方法を用いる送信機を詳しく説明する前に、まずTAST符号を例として本発明中の時空間符号の符号化方式（構成変化）について説明する。
【００１９】
時空間符号の符号化速度とは、各アンテナが各タイムスロットで伝送したデータシンボルの数であり、シンボル多重度(PCU−per channel use)で示しても良い。符号化速度が１であるときに、TAST符号の符号化マトリックスは、
【数１】
2007235966.tif 000003
【００２０】
であり、上式の中の
【数２】
2007235966.tif 000004
【００２１】
はDiophantine数であり、時空間符号のフルダイバーシティを保証するために用いられる。この符号化マトリックスは、４つのタイムスロットでデータシンボルS１~S４（４個）を伝送する。
【００２２】
符号化速度が２であるときに、その符号化マトリックスは、
【数３】
2007235966.tif 000005
【００２３】
であり、この符号化マトリックスは、４つのタイムスロットでデータシンボルS１１~S４２（８個）を伝送する。
【００２４】
符号化速度が４であるときに、その符号化マトリックスは、
【数４】
2007235966.tif 000006
【００２５】
であり、この符号化マトリックスは４つのタイムスロットでデータシンボルS１１~S４４（１６個）を伝送する。
【００２６】
信号伝送品質を保証する前提で、高い周波数利用効率を取得するために、SNRが低いとき、ダイバーシティ作用が支配的な地位にあるため、符号化を行う際、より小さいPCUを選択することができる。一方、SNRが増加するとき、多重化が次第に重要な働きをし、このとき少しずつPCUの値を増加させることができる。このように、本発明中の時空間符号符号化方式は、符号化速度（シンボル多重度）の調整を通じて、システムデータ伝送率を調整することができる。
【００２７】
[実施例１]
図１は、本発明の実施例１による送信機１の構成モジュール図を示す。
【００２８】
図１に示すように、本発明の実施例１による送信機１は、対応表作成モジュール１１と、取得及び選択モジュール１２と、符号化変調モジュール１３とを含む。
【００２９】
対応表作成モジュール１１は、シミュレーション又は実際の測定を通じて、複数の変調方式と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式と時空間符号の符号化方式の組合わせの対応表を作成する。
【００３０】
そのうち、信号伝送品質には、ビット誤り率、フレーム誤り率、シンボル誤り率等を含む。SNR閾値の設定は、実際の通信の需要に基づいて任意に設置してもよい。
【００３１】
取得及び選択モジュール１２は、チャネル状態の測定或いはフィードバックチャネル（受信機からフィードバックされたSNR）を通じて、現在の受信側のSNRを取得し、対応表作成モジュール１１で作成した対応表に基づいて、取得されたSNRをSNR閾値と比べ、取得されたSNRがあるSNR閾値以内であれば、このSNR閾値に対応する変調方式と時空間符号の符号化方式とを選択する。
【００３２】
符号化変調モジュール１３は、取得及び選択モジュール１２からの選択結果に基づいて、信号変調と時空間符号化とを行う。
【００３３】
同時に、対応表作成モジュール１１と取得及び選択モジュール１２も、それぞれ取得した対応表及び選択結果を受信機に送信して、受信機が従来の復調、復号化技術を通じて間違いなく受信信号を復調、復号化できるようにする。
【００３４】
次に、例をあげて対応表作成モジュール１１が対応表を作成する方法を説明する。
【００３５】
図２は、４ｘ４MIMOシステムにおいて、対応表作成モジュール１１が取得した対応表であって、変調方式と、時空間符号の符号化方式と、信号伝送品質を反映したパラメーター（BER）と、SNRとに対応するシミュレーション曲線図を示す。その横座標は、SNRである。縦座標は、ビット誤り率（BER）である。
【００３６】
このとき、対応表作成モジュール１１は、実際の通信の需要に基づいて、予め定められたBER=１０-４を準則として、２dB、６.５dB、９.６dB、１４.５dB、２１.５dBを選択してSNR閾値（他の数値を選択しても良い）とすると、図２に示したシミュレーション曲線図において、BER=１０-４とSNR閾値との両者に対応するシミュレーション曲線に基づいて、BER=１０-４とSNR閾値との両者に対応する変調方式及び時空間符号の符号化方式（時空間符号化のシンボル多重度）を取得できる。それによって、表１に示す対応表を取得する。
【００３７】
そのうち、ここではBER=１０-４とシミュレーション曲線との交差点に対応する横座標（SNR値，２dBなど）をSNR閾値として選択する。当然、実際の経験に基づいてSNR閾値を設定しても良い。
【表１】
2007235966.tif 000007
【００３８】
表１から分かるように、実施例１において、異なるSNRによって、変調方式が変化するだけでなく、時空間符号の符号化方式も適応的に変化する。例えば、SNRが低いとき、良いビット誤り率性能を取得するため、低いシンボル多重度 (PCU, per channel use) を備える時空間符号を選択する。SNRが高いとき、次第に時空間符号のシンボル多重度を増加させて、一定の信号伝送品質を保証する前提で、システムの周波数利用率を向上させ、これによって、高い周波数利用効率を取得することができる。
【００３９】
[実施例２]
本発明の実施例２による送信機の構成は、実施例１の送信機の構成と同じであって、対応表作成モジュール１１と、取得及び選択モジュール１２と、符号化変調モジュール１３とを含む。
【００４０】
対応表作成モジュール１１は、シミュレーション又は実際の測定を通じて、複数の変調方式と複数のチャネル符号化符号率と複数の時空間符号の符号化方式の組合わせに対する信号伝送品質のSNR特性曲線を取得し、予め定められた信号伝送品質を保証するSNRの値を前記特性曲線から求め、前記SNRの値と各変調方式とチャネル符号化符号率と時空間符号の符号化方式の組合わせの対応表を作成する。そのうち、信号伝送品質には、ビット誤り率、フレーム誤り率、シンボル誤り率等を含む。チャネル符号化の符号率は、外部符号(例えば、Turbo符号、LDPC符号)の符号率である。
【００４１】
取得及び選択モジュール１２は、測定或いはフィードバックチャネルを通じて、現在のSNRを取得し、対応表作成モジュール１１が作成した対応表に基づいて、取得されたSNRをSNR閾値と比べ、取得されたSNRがあるSNR閾値以内であれば、このSNR閾値に対応する変調方式と、チャネル符号化符号率と、時空間符号の符号化方式とを選択する。
【００４２】
符号化変調モジュール１３は、取得及び選択モジュール１２からの選択結果に基づいて、信号変調と、チャネル符号化と、時空間符号化とを行う。
【００４３】
同時に、対応表作成モジュール１１と取得及び選択モジュール１２も、それぞれ取得した対応表と選択結果とを受信機に送信して、受信機が従来の復調、復号化技術を通じて間違いなく受信信号を復調、復号化できるようにする。
【００４４】
表２は、本発明の実施例２による対応表作成モジュール１１が作成した対応表の例である。
【００４５】
４ｘ４MIMOシステムで、対応表作成モジュール１１は、シミュレーション或いは実際の測定後、ビット誤り率を１０-３として対応表を設計する。
【表２】
2007235966.tif 000008
【００４６】
表２に基づいて、取得及び選択モジュール１２の、測定或いはフィードバックチャネルにより取得したSNRが８dBであるとすると、表で調べて、現在の適応符号化変調方式としてQPSK、チャネル符号化符号率として２/３、時空間符号化のシンボル多重度として４を選択することができる。ここで、取得できる対応する周波数利用効率は、１６/３bits/s/Hzである。
【００４７】
本実施例において、チャネル符号化の速度も調整できるため、本発明の適応符号化変調方法は、より良い柔軟性を備える。
【００４８】
表２から分かるように、実施例２において、SNRが変化することによって、変調方式も変化し、チャネル符号化符号率と時空間符号化方式も適応的に変化する。例えば、チャネル符号化符号率の適切な変化を通じて、一定の信号伝送品質を保証するという前提でより高い周波数利用効率を取得するために、SNRが低いときに、ダイバーシティ作用が支配する地位になり、このときより小さいPCUとより小さい変調多値数を選択する。SNRが増加するときに、多重化が次第に重要な働きをすることになり、このとき、次第にPCUの値を増加させ、変調多値数（ここで、BPSKが一般変調方式であり、１６QAMが多値変調方式である）を適切に選択することによって、より良いBER性能とデータ伝送速度とを取得する。PCUが既に最大の値であるときに、変調多値数の調整を通じてデータ伝送速度を増加させ、一定の信号伝送品質を保証する前提で高い周波数利用効率を取得し、システムの周波数利用率を向上させ、これによって高い周波数利用効率と良いシステム安定性とを取得でき、かつより柔軟な適応符号化変調を実現する。
【００４９】
[実施例３]
本発明の実施例３による送信機の構成は、実施例１と実施例２の送信機の構成と同じであり、対応表作成モジュール１１と、取得及び選択モジュール１２と、符号化変調モジュール１３とを含む。
【００５０】
実施例１或いは実施例２との共通点は、対応表作成モジュール１１が、まずSNRの値と各変調方式と時空間符号の符号化方式の組合わせの対応表、或いはSNRの値と各変調方式とチャネル符号化符号率と時空間符号の符号化方式の組合わせの対応表を作成することである。
【００５１】
取得及び選択モジュール１２は、測定を通じて或いはフィードバックチャネルを通じて、現在のSNRを取得し、かつこのSNR閾値に対応する変調方式と時空間符号の符号化方式、或いはこのSNR閾値に対応する変調方式とチャネル符号化符号率と時空間符号の符号化方式とを選択する。
【００５２】
符号化変調モジュール１３は、取得及び選択モジュール１２の選択結果に基づいて、信号変調と時空間符号化とを行い、或いは信号変調とチャネル符号化と時空間符号化とを行う。
【００５３】
同時に、対応表作成モジュール１１と取得及び選択モジュール１２は、それぞれ取得した対応表と選択結果とを受信機に送信して、受信機が現在の復調、復号化技術を通じて間違いなく受信信号を復調、復号化することができるようにする。
【００５４】
本実施例において、実施例１と実施例２との異なるのは、受信機が送信機から送信された対応表と選択結果とに基づいて受信信号を復調、復号化するとき、この対応表を作成する準則となる信号伝送品質（例えば、ビット誤り率）を取得できないと、受信機は、復調、復号化して取得した信号伝送品質を反映したパラメーター等の情報を送信機にフィードバックすることである。
【００５５】
送信機中の対応表作成モジュール１１は、さらに受信機からのフィードバック情報に基づいて、改めて上記対応表を調整するか、或いは改めて選択する。
【００５６】
例えば、対応表作成モジュール１１は、まずビット誤り率を１０-３として対応表を作成し、かつ対応表作成モジュール１１と取得及び選択モジュール１２とは、対応表と選択結果（例えば、５dBに対応する）とを受信機に送信する。受信機は、受信信号に対して復調と復号化とを行うときに、ビット誤り率１０-２を取得すると、ビット誤り率１０-２、SNR（現在は４dB）等の情報を送信機にフィードバックする。送信機中の対応表作成モジュール１１は、対応表中で、受信機からフィードバックされたSNR（４dB）に対応する変調方式等を変化させる。即ち、変調方式（前はQPSKである変調方式多値数をBPSKに低下させる）及び／又は時空間符号の符号化方式（時空間符号化のシンボル多重度を低下させる）を変化させる。
【００５７】
受信機が取得したビット誤り率が１０-３より大きくない場合であれば、送信機は、対応表に対して動的調整を行う必要がない。
【００５８】
これによって、実施例３による送信機は、動的に対応表を調整でき、さらに柔軟に適応符号化変調を行うことができる。
【００５９】
図３は、本発明による適応変調方法を従来の方法の性能と比較する図である。図３に示すように、従来の適応変調方法がTAST時空間符号を採用し、その構成は固定され（それぞれPCU＝１、PCU＝２、PCU＝４）たと仮定すると、目標ビット誤り率が１０-３であり、準静的であり、独立同分布のレーリーフェージングチャネル状況である場合に、実施例１による送信機が用いた適応変調方法を従来の方法と比べると、同じSNRのとき、本発明がより高い周波数利用効率（斜線は従来の方法を使用できないことを示す）を備えることが分かる。
【００６０】
図４は、本発明による適応変調方法を従来の方法の性能と比較する図である。図４に示すように、従来の適応変調方法がTAST時空間符号を採用し、その構成が固定（PCU＝１）されたと仮定すると、実施例１による送信機が用いた適応変調方法を従来の方法と比べると、同じSNRのときに本発明がより高い周波数利用効率を備えること、或いは同じ周波数利用効率の場合、本発明がより小さいSNRを備えることが分かる。
【００６１】
以上から分かるように、本発明による適応符号化変調方法、及びこの方法を用いる送信機は、時空間符号の構成の最適化を通じて、一定の信号伝送品質を保証する前提でシステムの周波数利用率を向上させ、これによって高い周波数利用効率とより良いシステム安定性とを取得できる。かつ受信側からのフィードバックに基づいて、動的に対応表を調整し、より柔軟に適応符号化変調を行うことができる。
【００６２】
この技術分野の普通の技術者にとって、以上の実施類型に基づいて、他の長所と変形を容易に想像できる。このため、本発明は、上記具体的な実施例に限られず、それらの実施例はただ本発明に対して詳しく説明するために用いられた例である。本発明の原理を逸脱しない範囲内で本分野の技術者は、上記具体的な実施例に基づいて、各種の同列の入れ換えを通じて新しい技術方案を取得できるが、これらの技術方案が保護範囲に属することは明らかである。
【図面の簡単な説明】
【００６３】
【図１】本発明の実施例１による送信機１の構成モジュール図を示す。
【図２】４ｘ４MIMOシステムで本発明を用いてシミュレーションを行うときに取得された性能曲線図を示す。
【図３】SNRが同じ場合における本発明による適応変調方法と従来の方法との性能を比較する図を示す。
【図４】本発明による適応変調方法と従来の方法のSNR-周波数利用効率の性能を比較する図を示す。
【符号の説明】
【００６４】
１…送信機、１１…対応表作成モジュール、１２…取得及び選択モジュール、１３…符号化変調モジュール
【図１】
2007235966.tif 000009
【図２】
2007235966.tif 000010
【図３】
2007235966.tif 000011
【図４】
2007235966.tif 000012